(57)【要約】【課題】    雨や風が吹いても、タンクに雨水が流れ込んだり、風が吹いてもトイレが転倒したりする事や、トイレを使用中前方の家から小便をしている人の体の前面が見えていたが、体の腹から腰の下まで、蓋で見えなくして、美しく清潔な簡易トイレ小便器を提供する。【解決手段】前記目的を達成するために、本発明の簡易トイレ小便器は、排尿タンク、高さ固定具、小便受部から形成されたものである。【選択図】  図１
2019005061.tif 000002
【特許請求の範囲】
【請求項１】
前面に前面開口部が形成され、液体を収納する液体タンクの液体流入口に挿入される排尿パイプを有する小便受部と、前記排尿パイプが挿通され、前記小便受部と前記液体タンクの間に設けられる高さ固定具とを備えた事を特徴とする簡易トイレ小便器。
【請求項２】
前記小便受部の前面開口部を覆い、前記小便受部の上部に上下に回動自在に設けられた蓋を備えた事を特徴とする、請求項１に記載の簡易トイレ小便器。
【請求項３】
前記前面開口部の外周縁に、肉厚部が形成された事を特徴とする請求項１に記載の簡易トイレ小便器。
【請求項４】
前記小便受部の外側壁に、着脱自在の隠し板が設けられた事を特徴とする請求項１に記載の簡易トイレ小便器。
【請求項５】
前記小便受部の外側壁に、前記小便受部を固定する保持部を備えた事を特徴とする、請求項１に記載の簡易トイレ小便器。
【発明の詳細な説明】
【技術分野】
【０００１】
本発明は、期間の短い工事現場や避難場所などに設置して使用する簡易トイレ小便器に関する。
【背景技術】
【０００２】
従来の簡易トイレ小便器は、灯油を入れるポリタンクの口に漏斗のような形状の小便受を差し込み、小便受に用を足して、ポリタンクに尿を溜めていた。しかし、このような簡易トイレ小便器は、アンモニアの臭いがきつい、雨水がポリタンクに流れ込む、風が吹けば転倒する、などの問題があった。この問題を解決するため、特許文献１に記載の簡易トイレ小便器が提案されている。
【０００３】
特許文献１に記載の簡易トイレ小便器は、排尿タンクを固定する土台と、排尿タンクと連結される排尿パイプを有する小便受と、小便受の前面に設けられた開閉ドアーとを有し、小便受の高さを調整可能としたものである。
【先行技術文献】
【特許文献】
【０００４】
【特許文献１】特許第５７２７６６２号公報
【発明の概要】
【発明が解決しようとする課題】
【０００５】
特許文献１に記載の簡易トイレ小便器は、尿を溜める排尿タンクを地面に固定するための土台が必要であり、またその土台に形状が収まる排尿タンクが必要である。そのため、排尿タンクが尿で満杯になった時、土台専用の排尿タンクでなければ取り付けができないので、容易に排尿タンクの交換ができない。
【０００６】
また、特許文献１に記載の簡易トイレ小便器は、小便受に開閉ドアーが設けられているため、アンモニアの臭いはなく、タンクに雨水が流入するのを防止できる。しかし、小便受には観音開き式の開閉ドアーが取り付けられているので、その開閉ドアーを開く事により、小便をしていても左・右のドアーで身体の横方向からは、体の前の一部分は見えなくすることができるが、前方からは体の前の一部分が見えるため、工事現場の近隣の家などから苦情がでていた。
【課題を解決するための手段】
【０００７】
本発明は、液体を収納する液体タンクの液体流入口に挿入される排尿パイプを有する小便受と、排尿パイプが挿通され小便受と液体タンクの間に設けられる高さ固定具とを備えたものである。
【発明の効果】
【０００８】
本発明によれば、高さ固定具を介して排尿パイプを液体タンクに挿入するだけで、小便受を液体タンクに固定できるので、液体タンクとして、土台専用でなくても、市販されている一般の飲料水や灯油などのポリタンクも使用できる。したがって、尿で満杯になった液体タンクの交換が容易となる。
【図面の簡単な説明】
【０００９】
【図１】本発明の一実施例の簡易小便器の側面図。
【図２】簡易小便器の正面図。
【図３】簡易小便器の小便受に付いている、蓋を開けていない状態の側面図。
【図４】小便受部の側面図。
【図５】排尿タンクの側面図。
【図６】保持部の斜視図。
【図７】角柱状の高さ固定具の斜視図。
【図７Ａ】円柱状の高さ固定具の斜視図。
【図８】排出用延長ホースの斜視図。
【図９】隠し板の斜視図。
【図１０】排尿タンクの小便を家庭の出入り口近くにある、汚水用マンホールに排出用延長ホースを付けて流している図。
【図１１】簡易小便器に小便をしている人の側面図。
【図１２】正角形状のポリタンクの斜視図。
【図１３】扁平缶のポリタンクの斜視図
【図１４】他の小便受部の側面図。
【図１５】さらに他の小便受部の側面図。
【発明を実施するための形態】
【００１０】
以下、本発明の実施の形態を、図１〜図１５に基づいて説明する。
図１は、本実施の形態の簡易トイレ小便器１の側面図を示す。この図において、本実施の形態の簡易トイレ小便器１は、液体を収納する液体タンクである排尿タンク９の液体流入口である小便流入口２４に挿入される排尿パイプ８を有する小便受部１３と、排尿パイプ８が挿通され、小便受部１３と排尿タンク９の間に設けられる高さ固定具７とを備えている。
【００１１】
すなわち、図１の小便受部１３の外側上部には、小便受部１３の前面開口部を覆い、小便受部１３の上部を軸にして上下に回動自在の、薄い皿形状の蓋が２設けられている。すなわち、小便受部１３の外側上部には、上下に上げ下げすることができる、蓋２が蝶番１２で設けられている。蓋２を閉じたときの蓋２の右側部上方には、蓋２を上げ下げするための取手３Ａが、蓋２と一体形成されている。
【００１２】
小便受部１３の外側壁に、着脱自在の隠し板４が設けられている。すなわち、小便受部１３の外側左右には、小便をしている人の腰の前部を見えにくくするための、平板状の隠し板４が設けられている。隠し板４は取り外しが自由にできる。隠し板４は、図１に示すように、小便受部１３の外側左右の上部に、隠し板４の上部が小便受部１３の上辺よりも高くなるように設けられている。
【００１３】
これにより、隠し板４で用を足す人の前部分を有効に隠すことができる。蓋２の取手３Ａは、棒状であってもよいが、球形にすることにより、取手３Ａの操作が隠し板４で邪魔されにくくすることができる。すなわち、棒状の取手３Ａであれば、その開閉時の軌跡が隠し板４の輪郭の外側を通る方が操作しやすいが、球状の取手３Ａであれば、その開閉時の軌跡が隠し板４の輪郭内側を通っても容易に操作できる。
【００１４】
小便受部１３の前面開口部の外周縁には、肉厚部が形成されている。すなわち、図２の小便受部１３の開口部の外周には、雨水の浸入を防ぐため１ｃｍぐらいの高さで縁取１４を設けている。
【００１５】
図３は簡易トイレ小便器１の蓋２を閉じている側面図である。蓋２を閉じることにより、小便受部１３の開口部に風が入らないため転倒防止する事ができる。さらに、トイレの臭いが外部に広がるのを防止する事ができる。
【００１６】
さらに、小便受部１３の左右の外側側面の下方には、保持リング１７を保持するための保持具１８が設けられている。地中に差し込んでいる杭１５などから保持ロープ又は保持針金１６を保持リング１７に引っ張って取付けている。そのため簡易トイレ小便器は、強い風でも耐えることができる。
【００１７】
図４は小便受部１３の側面図である、小便受部１３で受けた小便は排尿パイプ８を流れて、排尿タンク９に溜めて排出される。排尿パイプ８の小便受部１３との結合部には、排尿パイプ８の回転を防止するための回転止め２７が形成されている。回転止め２７は、図４に示すように、外方に向かって突出しており、図７に示す、高さ固定具７に設けられた、凹状の回転止め受２８と勘合する。これにより、小便受部１３の、排尿パイプ８を軸とした回転を防止でき、常に同じ位置で用を足すことができる。
【００１８】
図５は排尿タンク９の側面図である。排尿タンク９の上部には小便の流入口２４と排出用ノズル１０が設けられ、ノズル１０の先端にはキャップ１１が設けられている。
【００１９】
図６は保持リング１７と保持具１８から構成される保持部２３の斜視図である。
【００２０】
図７は高さ固定具７の斜視図であって、排尿タンク９の上部に設けられているネジ部２５に高さ固定具７を差し込んで、ネジ部２５で固定することができる。又高さ固定部７は、図７に示す角形状の他、図７Ａに示す円柱形状のどちらでも使用できる。
【００２１】
いずれの場合でも、高さ固定具７は、上部に、凹状の回転止め受２８が形成されており、排尿パイプ８の回転止め２７と勘合しあう。したがって、風が吹いたり、手を小便受け１３に不用意に触れたりして小便受け１３が回転してしまうことはない。すなわち、常に小便受け１３の開口部が定位置にあり、用が足しやすい。
【００２２】
なお、小便受け１３の回転を防止するためには、図１４に示すように、排尿パイプ８の上部の径を下部の径よりも太くするテーパー状にし、高さ固定部７の内径を上部が下部より太いテーパー状としてもよい。これにより、排尿パイプ８を高さ固定部７に差し込んだ時、摩擦力により、排尿パイプ８の回転が止められる。
【００２３】
また、図１５に示すように、排尿パイプ８の内径と高さ固定部７の内径とをほぼ同じにすることによっても、排尿パイプ８の回転が止められるが、図１４に示すテーパー形状の方がより回転防止になる。
【００２４】
図８は排尿タンク９に設けられている、排出用ノズル１０の先に接続する排出用延長ホース２１を示している。
【００２５】
図９は小便受部１３の外側側壁に取りつける隠し板４を示している。支持部５を小便受部１３の外側側壁に蝶ネジ６で締めつけて固定することで、小便をしている人の体の前部分が左右からは、見えにくくなる。支持部５と隠し板４との角度は、２０〜３０度程度が、用を足すのに邪魔にならず、左右からみられるのを防止できる。
【００２６】
ところで、小便受部１３の大きさは、人の体の前部分を隠すためには大きい方が良いが、高さが高くなるために不安定となる、材料費が高くなりコスト高になる、装置が大型になり梱包代および輸送代が高くなる、さらに展示や保管のために広い場所が必要になる、などの問題が発生する。しかし、本実施の形態によれば、小便受部１３の大きさは、人の体の前部を隠せなくても、上部が小便受部１３の上辺よりも高い隠し板４、さらに上下開閉の蓋２を備えているので、安定に設置し、コスト高にならず、広い場所も必要ない。
【００２７】
図１０は、尿で一杯になった排尿タンク９の排出用ノズル１０の先に排出用延長ホース２１を取り付け、汚水用のマンホールに尿を流し入れている状態を示す図である。排尿タンク９の取手３Ｂを持ち、排尿タンク９を傾けて、排出用延長ホース２１を汚水用マンホール２２に差し込んで尿を流す。
【００２８】
図１１は、簡易トイレ小便器に小便をしている図であって、隠し板４で体の前部分を見えなくしている。
【００２９】
図１２、図１３は市販のポリタンクを示す斜視図である。簡易トイレ小便器１の排尿タンク９のタンクの中の小便が一杯になり、予備のタンクと交換したい場合などは、従来品のタンクで、例えば容量２０Ｌ、口径５０ｍｍで２口付の扁平缶２７（図１３）、又は容量２０Ｌ、口径が５０ｍｍで２口付の正角缶２６（図１２）であれば簡易トイレ小便器の排尿タンクとして使用できる。扁平缶２７でも保持部２３の保持リング１７と保持具１８で転倒しないように保持できる。
【符号の説明】
【００３０】
１    簡易トイレ小便器
２    蓋
３Ａ  取手
３Ｂ  取手
４    隠し板
５    支持部
６    蝶ネジ
７    高さ固定具
７Ａ  円柱状の高さ固定具
８    排尿パイプ
９    排尿タンク（液体タンク）
１０    排出用ノズル
１１    キャップ
１２    蝶番
１３    小便受部
１４    縁取（肉厚部分）
１５    杭
１６    保持ロープ又は保持針金
１７    保持リング
１８    保持具
１９    排尿パイプ差し込み口
２０    小便流出口
２１    排出用延長ホース
２２    汚水用マンホール
２３    保持部
２４    小便流入口（液体流入口）
２５    ネジ部
２６    ポリタンク
２７    回転止め
２８    回転止め受
【図１】
2019005061.tif 000003
【図２】
2019005061.tif 000004
【図３】
2019005061.tif 000005
【図４】
2019005061.tif 000006
【図５】
2019005061.tif 000007
【図６】
2019005061.tif 000008
【図７】
2019005061.tif 000009
【図７Ａ】
2019005061.tif 000010
【図８】
2019005061.tif 000011
【図９】
2019005061.tif 000012
【図１０】
2019005061.tif 000013
【図１１】
2019005061.tif 000014
【図１２】
2019005061.tif 000015
【図１３】
2019005061.tif 000016
【図１４】
2019005061.tif 000017
【図１５】
2019005061.tif 000018
【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
前面に前面開口部が形成され、液体を収納する液体タンクの液体流入口に挿入される排尿パイプを有する、小便受部と、前記排尿パイプが挿通され、前記小便受部と前記液体タンクの間に設けられる固定具と、前記小便受部の前面開口部を覆い、前記小便受部の上部に上下に回動自在に設けられた蓋とを備えた事を特徴とする簡易トイレ小便器。
【請求項２】
前記前面開口部の外周縁に、肉厚部が形成された事を特徴とする請求項１に記載の
簡易トイレ小便器。
【請求項３】
前記小便受部の外側壁に、着脱自在の隠し板が設けられた事を特徴とする請求項１に記載の簡易トイレ小便器。
【請求項４】
前記小便受部の外側壁に、前記小便受部を固定する保持部を備えた事を特徴とする、請求項１に記載の簡易トイレ小便器。